(57)【要約】【課題】光量が大きく、しかも各発光ダイオードからそれぞれ出射された光を効率良く集光することが可能なリフレクタを備えた照明装置を提供する。【解決手段】発光ダイオードと、発光ダイオードからの光を出射させるリフレクタ４とを具備してなり、リフレクタ４には、回転放物面が二分割されてなる一対の半回転放物面４２ａと、一対の半回転放物面４２ａの間に配置された放物柱面４２ｂと、を少なくとも有する反射面４２が備えられ、反射面４２にそれぞれ、複数の発光ダイオードが備えられていることを特徴とする照明装置１を採用する。【選択図】図１
2008016412.tif 000002
【特許請求の範囲】
【請求項１】
回転放物面が二分割されてなる一対の半回転放物面と、前記一対の半回転放物面の間に配置された放物柱面と、を少なくとも有する反射面が備えられていることを特徴とする照明装置用のリフレクタ。
【請求項２】
前記一対の半回転放物面と前記放物柱面とが相互に連続していることを特徴とする請求項１に記載の照明装置用のリフレクタ。
【請求項３】
前記反射面が複数備えられていることを特徴とする請求項１または請求項２に記載の照明装置用のリフレクタ。
【請求項４】
複数の発光ダイオードと、前記の各発光ダイオードからの光を出射させるリフレクタとを具備してなり、
前記リフレクタには、回転放物面が二分割されてなる一対の半回転放物面と、前記一対の半回転放物面の間に配置された放物柱面と、を少なくとも有する反射面が備えられていることを特徴とする照明装置。
【請求項５】
発光ダイオードと、前記発光ダイオードからの光を出射させるリフレクタとを具備してなり、
前記リフレクタには、回転放物面が二分割されてなる一対の半回転放物面と、前記一対の半回転放物面の間に配置された放物柱面と、を少なくとも有する反射面が複数備えられ、
前記の各反射面にそれぞれ、複数の発光ダイオードが備えられていることを特徴とする照明装置。
【請求項６】
前記一対の半回転放物面と前記放物柱面とが相互に連続していることを特徴とする請求項４または請求項５に記載の照明装置。
【請求項７】
前記の各発光ダイオードが、前記一対の半回転放物面の焦点同士を結ぶ直線上に配置されていることを特徴とする請求項４ないし請求項６のいずれかに記載の照明装置。
【請求項８】
前記の各発光ダイオードが、等間隔に配置されていることを特徴とする請求項４ないし請求項７のいずれかに記載の照明装置。
【請求項９】
前記の各発光ダイオードが、前記一対の半回転放物面の各焦点と、前記放物柱面の焦点とにそれぞれ配置されていることを特徴とする請求項４ないし請求項８のいずれかに記載の照明装置。
【請求項１０】
前記の各発光ダイオードを覆う蛍光体含有透明樹脂が備えられていることを特徴とする請求項４ないし請求項９のいずれかに記載の照明装置。
【請求項１１】
前記の各発光ダイオードが相互に並列に接続されていることを特徴とする請求項４ないし請求項１０のいずれかに記載の照明装置。
【発明の詳細な説明】
【技術分野】
【０００１】
本発明は、照明装置用のリフレクタ及び照明装置に関するものである。
【背景技術】
【０００２】
最近になって、発光ダイオードを光源とする照明装置の開発が盛んになって来ている。特に自動車等の車両用の照明装置の分野においては、低消費電力、低発熱、デザインの自由度等が重視されており、これらの要望を満たすものとして、発光ダイオードを備えた照明装置が注目を集めている。
従来の照明装置は、光源としての発光ダイオードと、発光ダイオードからの光を集光して効率良く出射させるリフレクタとから概略構成されている。ところで発光ダイオードは、従来の電球型の光源と比べて小型で占有体積が小さいことから、１つのリフレクタに複数の発光ダイオードを配設させることが可能とされている。そこで、照明装置の出力向上を目的として、１つのリフレクタに複数の発光ダイオードを配設させた照明装置が検討されている。
【特許文献１】特開２００５−３２７５７７号公報
【発明の開示】
【発明が解決しようとする課題】
【０００３】
従来の照明装置のリフレクタとしては、回転放物面からなる反射面を有し、開口部の輪郭が略円形であるリフレクタが数多く提案されている。この回転放物面からなる反射面はただ１つの焦点を有しているので、複数の発光ダイオードの全部を焦点に配置することは不可能であり、通常は焦点を中心としてその周囲に複数の発光ダイオードを配設させる構成になっている。このように構成された照明装置を発光させて所定の照射対象面に光を照射すると、光の照射部分のうち中央部分がその周辺部分と比べて光量が少なくなる傾向になる。このように従来の照明装置では、複数の発光ダイオードを備えることで光量自体は増大できるものの、各発光ダイオードから出射された光を効率良く集光することが難しい状況であった。
【０００４】
本発明は、上記事情に鑑みてなされたものであって、光量が大きく、しかも各発光ダイオードからそれぞれ出射された光を効率良く集光することが可能なリフレクタ及びこのリフレクタを備えた照明装置を提供することを目的とする。
【課題を解決するための手段】
【０００５】
上記の目的を達成するために、本発明は以下の構成を採用した。
［１］回転放物面が二分割されてなる一対の半回転放物面と、前記一対の半回転放物面の間に配置された放物柱面と、を少なくとも有する反射面が備えられていることを特徴とする照明装置用のリフレクタ。
［２］前記一対の半回転放物面と前記放物柱面とが相互に連続していることを特徴とする前項１に記載の照明装置用のリフレクタ。
［３］前記反射面が複数備えられていることを特徴とする前項１または前項２に記載の照明装置用のリフレクタ。
［４］複数の発光ダイオードと、前記の各発光ダイオードからの光を出射させるリフレクタとを具備してなり、前記リフレクタには、回転放物面が二分割されてなる一対の半回転放物面と、前記一対の半回転放物面の間に配置された放物柱面と、を少なくとも有する反射面が備えられていることを特徴とする照明装置。
［５］発光ダイオードと、前記発光ダイオードからの光を出射させるリフレクタとを具備してなり、前記リフレクタには、回転放物面が二分割されてなる一対の半回転放物面と、前記一対の半回転放物面の間に配置された放物柱面と、を少なくとも有する反射面が複数備えられ、前記の各反射面にそれぞれ、複数の発光ダイオードが備えられていることを特徴とする照明装置。
［６］前記一対の半回転放物面と前記放物柱面とが相互に連続していることを特徴とする前項４または前項５に記載の照明装置。
［７］前記の各発光ダイオードが、前記一対の半回転放物面の焦点同士を結ぶ直線上に配置されていることを特徴とする前項４ないし前項６のいずれかに記載の照明装置。
［８］前記の各発光ダイオードが、等間隔に配置されていることを特徴とする前項４ないし前項７のいずれかに記載の照明装置。
［９］前記の各発光ダイオードが、前記一対の半回転放物面の各焦点と、前記放物柱面の焦点とにそれぞれ配置されていることを特徴とする前項４ないし前項８のいずれかに記載の照明装置。
［１０］前記の各発光ダイオードを覆う蛍光体含有透明樹脂が備えられていることを特徴とする前項４ないし前項９のいずれかに記載の照明装置。
［１１］前記の各発光ダイオードが相互に並列に接続されていることを特徴とする前項４ないし前項１０のいずれかに記載の照明装置。
【発明の効果】
【０００６】
本発明によれば、複数の発光ダイオードからの光を効率良く集光して出射させることが可能な照明装置用のリフレクタを提供できる。
また、本発明によれば、光量が大きく、しかも各発光ダイオードからそれぞれ出射された光を効率良く集光して出射することが可能な照明装置を提供できる。
【発明を実施するための最良の形態】
【０００７】
以下、本発明の実施の形態の照明装置及びそのリフレクタについて図面を参照して説明する。尚、以下の説明で参照する図は、本実施形態の照明装置及びそのリフレクタの構成を説明するためのものであり、図示される各部の大きさや厚さや寸法等は、実際の照明装置及びそのリフレクタの寸法関係とは異なる場合がある。
【０００８】
「照明装置の一例」
図１には、本実施形態の照明装置の一例を斜視図で示し、図２には図１に示す照明装置の平面模式図を示し、図３には図２のＡ−Ａ’線に対応する断面模式図を示す。また、図４には図２のＡ−Ａ’線に対応する拡大断面模式図を示し、図５には図２のＢ−Ｂ’線に対応する拡大断面模式図を示す。更に図６には、図１〜図５の照明装置に備えられたリフレクタの平面模式図を示し、図７には、図６のＣ−Ｃ’線に対応する断面模式図を示し、図８には、図７のＤ−Ｄ’線に対応する断面模式図を示す。
【０００９】
図１〜図３に示す照明装置１は、回路基板２と、回路基板２に実装された発光ダイオード３と、回路基板２上に設置されたリフレクタ４とから概略構成されている。
回路基板２は、アルミニウムからなる基板本体２１と、基板本体２１上に積層された絶縁層２２と、絶縁層２２上に形成されたＣｕ等の導体からなる配線パターン２３とから概略構成されている。また、この回路基板２は、その一辺２ａ側がリフレクタ４から突き出されており、これにより回路基板２の表面の一部が露出されている。
また、配線パターン２３は、一対の取出電極パターン２３ａ、２３ａと、各取出電極パターン２３ａの一端側から回路基板２のほぼ中央に向かって延在する６本の端子電極パターン２３ｂとから構成されている。各端子電極パターン２３ｂには、３つの発光ダイオード３がそれぞれ接続されており、これにより各発光ダイオード３が相互に並列に接続されている。また、各取出電極パターン２３ａの他端側は、回路基板２の一辺２ａ側に延在して露出しており、この露出部分が外部端子２３ｃになっている。
【００１０】
次に発光ダイオード３は、図１〜図５に示すように、本実施形態の例では全部で３つの発光ダイオード３が回路基板２のほぼ中央に実装されている。図２及び図４に示すように、各発光ダイオード３は等間隔をおいて一直線上に配置されている。本例における発光ダイオード３はフェイスアップ構造を有しており、発光ダイオード３の正電極及び負電極はそれぞれ回路基板２に接する面と反対側の面に向けられている。そして図５に示すように、ワイヤボンディング３ａによって、正電極及び負電極と端子電極パターン２３ｂ（図５では図示略）とが電気的に接続されている。発光ダイオード３のサイズは特に限定されないが、０．１ｍｍ〜３０ｍｍ角の大きさが好ましい。
また、発光ダイオード３は、モールド成型された蛍光体含有透明樹脂体５（蛍光体含有透明樹脂）によって完全に被覆されており、発光ダイオード３から出射された光が全て蛍光体含有透明樹脂体５に入射するように構成されている。この構成によりたとえば、発光ダイオード３として青色発光ダイオードを用い、蛍光体含有透明樹脂に含まれる蛍光体として黄色蛍光体を用いることで、白色光を出射できるようになっている。発光ダイオード３の配置に関する詳細な説明は後述する。
【００１１】
次に、リフレクタ４は、図１〜図３及び図６〜図８に示すように、たとえばアルミニウムまたはアルミニウム合金からなる略立方体形状のリフレクタ本体４１に、反射面４２が設けられて概略構成されている。リフレクタ本体４１は、その一面４１ａが回路基板２に向けられるとともに、他面４１ｂが回路基板２側とは反対側に向けられた状態で回路基板２上に載置されている。リフレクタ本体４１には、一面４１ａと他面４１ｂとの間を貫通する貫通孔４１ｃが形成されており、この貫通孔４１ｃを区画する壁面が反射面４２とされている。また、リフレクタ本体４１が回路基板２に載置されることによって、回路基板２上の発光ダイオード３が貫通孔４１ｃの内部に配置され、これにより発光ダイオード３が反射面４２によって囲まれた状態になっている。
【００１２】
反射面４２は、図１〜図３及び図６〜図８に示すように、一対の半回転放物面４２ａと、半回転放物面４２ａ同士の間に配置された放物柱面４２ｂとから構成されている。図６には、半回転放物面４２ａと放物柱面４２ｂとの境界線を一点鎖線によって表示しているが、この境界線において半回転放物面４２ａと放物柱面４２ｂとが相互に連続している。
ここで半回転放物面４２ａとは、いわゆる回転放物面が、その回転中心軸を含む平面によって二分割されてなる面である。また、この半回転放物面４２ａは、図７に示すように、ｙ＝ａｘ２の式（ただしａは１／１０〜１の範囲であり、より好ましくは１／３である）で表される放物曲線Ｌ１に沿って形成された面である。
また、放物柱面４２ｂは、図８に示すように、ｙ＝ｂｘ２の式（ただしｂはａと同じ値であって１／１０〜１の範囲であり、より好ましくは１／３である）で表される放物曲線Ｌ２に沿って形成された略帯状の面である。放物柱面４２ｂの幅ｗは、発光ダイオード３のサイズ及び発光ダイオード３同士の間隔によって適宜設定されるが、例えば１ｍｍ角のサイズの発光ダイオードを使用した場合は１．０ｍｍ〜２．５ｍｍの範囲に設定することが好ましい。
【００１３】
また、リフレクタ本体４１の厚みは、換言すると光の出射方向に沿う反射面４２の高さは、発光ダイオード３のサイズ及び発光ダイオード３同士の間隔によって適宜設定されるが、例えば５．０ｍｍ〜２０．０ｍｍの範囲に設定することが好ましい。
【００１４】
次に、反射面４２の焦点と発光ダイオード３との配置関係について説明する。本実施形態における反射面４２には３つの焦点Ｆ１〜Ｆ３が存在し、各焦点Ｆ１〜Ｆ３に発光ダイオード３の発光層が配置されている。本実施形態における反射面４２は、上述のように一対の半回転放物面４２ａと放物柱面４２ｂとから構成されるが、各半回転放物面４２ａにそれぞれ一カ所づつ、合計で２カ所に焦点Ｆ１、Ｆ２が存在する。この２カ所に焦点Ｆ１、Ｆ２は、半回転放物面の基礎になる回転放物面の焦点に対応するものである。すなわち、回転放物面の焦点は元来、その頂点から回転中心軸に沿って所定の間隔をあけて離れた箇所に位置しているところ、この回転中心軸を含む平面に沿って二分割することによって半回転放物面４２ａ、４２ａが構成されることで、回転放物面における焦点がそれぞれ焦点Ｆ１、Ｆ２に対応したものになる。
次に、放物柱面４２ｂに対応する焦点Ｆ３が存在する。この焦点Ｆ３は、他の２つの焦点Ｆ１、Ｆ２を結ぶ線分（直線）Ｌ３の中点に位置している。
以上のように、各発光ダイオード３は、一対の半回転放物面４２ａの焦点Ｆ１、Ｆ２同士を結ぶ直線Ｌ３上に等間隔に配置されており、３つのうち２つの発光ダイオードが半回転放物面４２ａの各焦点Ｆ１、Ｆ２に配置され、残りの１つが放物柱面４２ｂの焦点Ｆ３に配置される。
各発光ダイオード３の間隔は、発光ダイオード３のサイズによって適宜設定されるが、例えば１ｍｍ角のサイズの発光ダイオードを使用した場合の各ダイオードの間隔は０．５ｍｍ〜１．５ｍｍの範囲に設定することが好ましい。
【００１５】
上記の照明装置１において、反射面４２の各焦点Ｆ１〜Ｆ３に配置された発光ダイオード３を発光させると、蛍光体含有樹脂体５を透過する際に白色光となり、この白色光が反射面４２を構成する半回転放物面４２ａ及び放物柱面４２ｂによって反射され、ほぼ平行光となって出射される。出射光からなる光束の光量は、その照射面全面においてほぼ均一であり、しかも光源となる発光ダイオードの数が３つのであるので、光量自体も大きくなる。
【００１６】
以上説明したように、上記の照明装置１によれば、一対の半回転放物面４２ａと、一対の半回転放物面４２ａの間に配置された放物柱面４２ｂを有する反射面４２が備えられているので、複数の発光ダイオード３を光源として使用することができる。
また、一対の半回転放物面４２ａと放物柱面４２ｂとが相互に連続しているので、半回転放物面４２ａと放物柱面４２ｂとの境界で光が乱反射することがなく、光を効率良く出射させることができる。
更に、各発光ダイオード３が、半回転放物面４２ａの焦点Ｆ１、Ｆ２同士を結ぶ直線Ｌ３上に配置されているので、発光ダイオード３の位置決めを容易に行うことができる。
更にまた、各発光ダイオード３が等間隔に配置されているので、発光ダイオード３の位置決めをより容易に行うことができる。
【００１７】
また、各発光ダイオード３が、一対の半回転放物面４２ａの各焦点Ｆ１、Ｆ２と、放物柱面４２ｂの焦点Ｆ３とにそれぞれ配置されているので、各発光ダイオード３の出射光をそれぞれ、半回転放物面４２ａ及び放物柱面４２ｂとによってそれぞれ効率良く反射させることができる。これにより出射光からなる光束の光量を、照射面全面においてほぼ均一にすることができ、しかも光源となる発光ダイオードの数が３つのであるので、光量自体を大きくすることができる。
更に、各発光ダイオード３を覆う蛍光体含有透明樹脂が備えられているので、発光ダイオードの発光色と蛍光体の色との組合せによって、様々な色の光を発光させることができる。
更にまた、各発光ダイオード３が相互に並列に接続されているので、１つの発光ダイオードが不具合を起こして消灯したとしても、他の発光ダイオードには何ら影響を与えることなく、照明装置１自体の点灯状態を維持することができる。
【００１８】
「照明装置の別の例」
図９には、本実施形態の照明装置の別の例を斜視図で示し、図１０に、図９に示す照明装置の平面模式図を示し、図１１には、図１０のＥ−Ｅ’線に対応する断面模式図を示し、図１２には、図１０のＦ−Ｆ’線に対応する断面模式図を示す。
また、図１３には、図９〜図１２に示す照明装置に備えられた回路基板の平面模式図を示し、図１４には、図１３に示す回路基板の一部を拡大平面模式図で示し、図１５には、図１４のＧ−Ｇ’線に対応する断面模式図を示し、図１６には、図１４のＨ−Ｈ’線に対応する断面模式図を示し、図１７には、回路基板の別の一部を拡大平面模式図で示す。
【００１９】
図９〜図１０に示す照明装置１０１は、回路基板１０２と、回路基板１０２に実装された発光ダイオード１０３と、回路基板１０２上に設置されたリフレクタ１０４とから概略構成されている。本例の照明装置１０１には、１０列×３列の合計で３０個の反射面１４２を有するリフレクタ１０４が備えられている。そして、各反射面１４２の内側には、一つの反射面につき３つの発光ダイオード１０３が備えられている。照明装置１０１全体では合計で９０個の発光ダイオード１０３が備えられている。
【００２０】
リフレクタ１０４は、図９〜図１２に示すように、たとえばアルミニウムまたはアルミニウム合金からなる略直方体形状のリフレクタ本体１４１に、１０列×３列の合計で３０個の反射面１４２が設けられて概略構成されている。リフレクタ本体１４１は、その一面１４１ａが回路基板１０２に向けられるとともに、他面１４１ｂが回路基板１０２側とは反対側に向けられた状態で回路基板１０２上に載置されている。リフレクタ本体１４１には、一面１４１ａと他面１４１ｂとの間を貫通する貫通孔１４１ｃが形成されており、この貫通孔１４１ｃを区画する壁面が反射面１４２とされている。また、リフレクタ本体１４１が回路基板１０２に載置されることによって、回路基板１０２上の発光ダイオード１０３が貫通孔１４１ｃの内部に配置され、これにより発光ダイオード１０３が反射面１４２によって囲まれた状態になっている。
また、リフレクタ本体１４１には、一対の切欠部１４１ｄが設けられており、この切欠部１４１ｄによって回路基板１０２の一部が露出されている。
【００２１】
反射面１４２の詳細な形状は、先の照明装置１の場合とほぼ同様であり、一対の半回転放物面と、この半回転放物面同士の間に配置された放物柱面とから構成されている。
半回転放物面及び放物柱面を規定する放物曲線は、先の照明装置１の場合と同様に、ｙ＝ａｘ２及びｙ＝ｂｘ２（ただしａ及びｂは１／１０〜１の範囲であり、より好ましくは１／３である）で表される。放物柱面の幅は、発光ダイオード１０３のサイズ及び発光ダイオード１０３同士の間隔によって適宜設定されるが、例えば１．０ｍｍ〜２．５ｍｍの範囲に設定することが好ましい。また、リフレクタ本体１４１の厚みは、換言すると光の出射方向に沿う反射面１４２の高さは、発光ダイオード１０３のサイズ及び発光ダイオード１０３同士の間隔によって適宜設定されるが、例えば１ｍｍ角のサイズの発光ダイオードを使用した場合、５．０ｍｍ〜２０．０ｍｍの範囲に設定することが好ましい。
また、反射面１４２の焦点と発光ダイオード１０３との配置関係についても、先の照明装置１の場合とほぼ同様である。
【００２２】
図１３〜図１７に示すように、回路基板１０２は、アルミニウムからなる基板本体１２１と、基板本体１２１上に積層された絶縁層１２２と、絶縁層１２２上に形成されたＣｕ等の導体からなる配線パターン１２３とから概略構成されている。基板本体１２１と絶縁層１２２の間には接着層１２１ａが備えられている。
また、配線パターン１２３は、一対の取出電極パターン１２３ａと、各取出電極パターン１２３ａから延在する１０組の端子電極パターン群１２３ｂとから構成されている。各取出電極パターン１２３ａの一端側は、リフレクタ１０４の切欠部１４１ｄに対応する位置に配置されて露出されており、この露出部分が外部端子１２３ｃになっている。
端子電極パターン群１２３ｂにはそれぞれ、３本の端子電極パターン１２３ｂ１〜ｂ３が含まれており、端子電極パターン１２３ｂ１〜ｂ３は相互に平行に延在している。また、一組の端子電極パターン群１２３ｂには、発光ダイオードの接続箇所がそれぞれ３カ所設けられている。この接続箇所には端子電極パターン１２３ｂ１〜ｂ３が端部が位置している、そして、ワイヤボンディング１０３ａを介して各端部と発光ダイオードの正電極及び負電極とが接続されている。以上の構成によって、一組の端子電極パターン群１２３ｂには３つの発光ダイオード１０３が相互に並列接続されるようになっている。
また、図１７に示すように、端子電極パターン群１２３ｂと一方の取出電極パターン１２３ａとの間には、電流値調整用のチップ抵抗１２３ｃが配設されており、このチップ抵抗１２３ｃによって３つ一組の発光ダイオード１０３の出力電力を均等にするように調整されている。
【００２３】
本例における発光ダイオード１０３はフェイスアップ構造を有しており、発光ダイオード１０３の正電極及び負電極がそれぞれ、回路基板１０２に接する面と反対側の面に向けられている。そして図１６に示すように、ワイヤボンディング１０３ａによって、正電極及び負電極と端子電極パターン１２３ｂ１〜１２３ｂ３とが電気的に接続されている。発光ダイオード１０３のサイズは特に限定されないが、０．１ｍｍ〜３０ｍｍ角の大きさが好ましい。
また、発光ダイオード１０３は、モールド成型された蛍光体含有透明樹脂体１０５（蛍光体含有透明樹脂）によって完全に被覆されており、発光ダイオード１０３から出射された光が全て蛍光体含有透明樹脂体１０５に入射するように構成されている。この構成によりたとえば、発光ダイオード１０３として青色発光ダイオードを用い、蛍光体含有透明樹脂に含まれる蛍光体として黄色蛍光体を用いることで、白色光を出射できるようになっている。
【００２４】
上記の照明装置１０１において、反射面１４２の各焦点に配置された発光ダイオード１０３を発光させると、蛍光体含有樹脂体１０５を透過する際に白色光となり、この白色光が反射面１４２を構成する半回転放物面及び放物柱面によって反射され、ほぼ平行光となって出射される。出射光からなる光束の光量は、その照射面全面においてほぼ均一であり、しかも光源となる発光ダイオードの数が全部で９０個あるので、光量自体も極めて大きくなる。
【００２５】
以上説明したように、上記の照明装置１０１によれば、先に説明した照明装置１とほぼ同様な効果が得られる。
【００２６】
なお、本発明の技術範囲は上記実施の形態に限定されるものではなく、本発明の趣旨を逸脱しない範囲において種々の変更を加えることが可能である。例えば上記の実施形態における発光ダイオードは、フェイスアップ構造の発光ダイオードを例に説明したが、本発明ではこれに限定されず、フリップチップ構造の発光ダイオードを使用しても良い。
また、蛍光体を使用しない赤〜緑色を発光するダイオード、例えばＧａＡｌＩｎＰ系や、ＧａＰ等の発光ダイオードでも同様な効果が得られる。
【実施例】
【００２７】
「実験例１」
一対の半回転放物面と、各半回転放物面の間に配置された放物柱面とからなる反射面を有するリフレクタを用意し、このリフレクタを、発光ダイオードが備えられた回路基板上に設置することによって、図１に示すような実験例１の照明装置を製造した。
半回転放物面及び放物柱面を区画する放物線はｙ＝（１／３）ｘ２の式で表される曲線とした。また、半回転放物面の拡径側における半径は６ｍｍとし、放物柱面の幅は１２ｍｍとし、半回転放物面及び放物柱面の各焦点は各放物面の頂点から各中心軸に沿って０．７５ｍｍ離間した位置とし、この各焦点に３つの発光ダイオードをそれぞれ配置し、発光ダイオード同士の間隔はダイオードの中心位置を基準にして６．２５ｍｍとした。また発光ダイオードは、０．３５ｍｍ角のチップ型素子であった。
【００２８】
「実験例２」
放物柱面の幅を２ｍｍとし、発光ダイオード同士の間隔をダイオードの中心位置を基準にして１ｍｍとしたこと以外は上記実験例１と同様にして、実験例２の照明装置を製造した。
【００２９】
「実験例３」
放物柱面の幅を１ｍｍとし、発光ダイオード同士の間隔をダイオードの中心位置を基準にして０．５ｍｍとしたこと以外は上記実験例１と同様にして、実験例３の照明装置を製造した。
【００３０】
「実験例４」
半回転放物面及び放物柱面を区画する放物線をｙ＝（１／２）ｘ２の式で表される曲線とし、放物柱面の幅を１ｍｍとし、発光ダイオード同士の間隔をダイオードの中心位置を基準にして０．５ｍｍとし、半回転放物面及び放物柱面の焦点が各放物面の頂点から各中心軸に沿って０．５ｍｍ離間した位置としたこと以外は上記実験例１と同様にして、実験例４の照明装置を製造した。
【００３１】
「実験例５（比較例）」
回転放物面からなる反射面を有するリフレクタを用意し、このリフレクタを、発光ダイオードが備えられた回路基板上に設置することによって、実験例５の照明装置を製造した。
回転放物面を区画する放物線はｙ＝（１／３）ｘ２の式で表される曲線とした。また、回転放物面の拡径側における半径は６ｍｍとし、回転放物面の焦点は放物面の頂点から中心軸に沿って０．７５ｍｍ離間した位置とし、発光ダイオードはこの焦点を重心とする正三角形の各頂点に対応する位置に配置し、発光ダイオードと焦点との間隔は１．０ｍｍとし、各発光ダイオード同士の間隔（正三角形の一辺の長さに相当）は√３ｍｍ（１．７３２ｍｍ）とした。
【００３２】
実験例１〜５の照明装置について、一辺が２ｍ四方の正方形の照射面を各照明装置から２ｍ離れた位置に設置し、各照明装置を作動させて照射面に光を照射させた。そして、照射面における最大輝度の相対値と、各照明装置の全光量のうち照射面に照射された光量の割合を求めた。尚、最大輝度は、実験例５の最大輝度を１００％とした。結果を表１に示す。
【００３３】
【表１】
2008016412.tif 000003
【００３４】
表１に示すように、発光ダイオード同士の間隔が狭くなるにつれて、最大輝度と、照射面に照射された光量の割合とが増大していることがわかる。尚、実験例３と４との間で最大輝度に差が生じたのは、焦点距離を変更したためである。
また、実験例１〜４では、照射面上における照射光の輝度が照射部分全体でほぼ同じ明るさであったのに対し、実験例５では、照射面上における照射光の輝度が照射部分の中心で暗くなり、光を均一に照射できないことがわかった。
【図面の簡単な説明】
【００３５】
【図１】図１は、本発明の実施形態である照明装置の一例を示す斜視図である。
【図２】図２は、図１に示す照明装置の平面模式図である。
【図３】図３は、図２のＡ−Ａ’線に対応する断面模式図である。
【図４】図４は、図２のＡ−Ａ’線に対応する拡大断面模式図である。
【図５】図５は、図２のＢ−Ｂ’線に対応する拡大断面模式図である。
【図６】図６は、図１〜図５の照明装置に備えられたリフレクタを示す平面模式図である。
【図７】図７は、図６のＣ−Ｃ’線に対応する断面模式図である。
【図８】図８は、図６のＤ−Ｄ’線に対応する断面模式図である。
【図９】図９は、本発明の実施形態である照明装置の別の例を示す斜視図である。
【図１０】図１０は、図９に示す照明装置の平面模式図である。
【図１１】図１１は、図１０のＥ−Ｅ’線に対応する断面模式図である。
【図１２】図１２は、図１０のＦ−Ｆ’線に対応する断面模式図である。
【図１３】図１３は、図９〜図１２に示す照明装置に備えられた回路基板の平面模式図である。
【図１４】図１４は、図１３に示す回路基板の一部を示す拡大平面模式図である。
【図１５】図１５は、図１４のＧ−Ｇ’線に対応する断面模式図である。
【図１６】図１６は、図１４のＨ−Ｈ’線に対応する断面模式図である。
【図１７】図１７は、図１３に示す回路基板の別の一部を示す拡大平面模式図である。
【符号の説明】
【００３６】
１，１０１…照明装置、３，１０３…発光ダイオード、４、１０４…リフレクタ、５，１０５…蛍光体含有透明樹脂体（蛍光体含有透明樹脂）、４２，１４２…反射面、４２ａ…半回転放物面、４２ｂ…放物柱面、Ｆ１，Ｆ２…半回転放物面の焦点、Ｆ３…放物柱面の焦点、Ｌ３…半回転放物面の焦点同士を結ぶ直線
【図１】
2008016412.tif 000004
【図２】
2008016412.tif 000005
【図３】
2008016412.tif 000006
【図４】
2008016412.tif 000007
【図５】
2008016412.tif 000008
【図６】
2008016412.tif 000009
【図７】
2008016412.tif 000010
【図８】
2008016412.tif 000011
【図９】
2008016412.tif 000012
【図１０】
2008016412.tif 000013
【図１１】
2008016412.tif 000014
【図１２】
2008016412.tif 000015
【図１３】
2008016412.tif 000016
【図１４】
2008016412.tif 000017
【図１５】
2008016412.tif 000018
【図１６】
2008016412.tif 000019
【図１７】
2008016412.tif 000020